(57)【要約】【課題】センサー感度切り替え時に、使用者に設定状況を分かり易く報知して誤設定を防ぐとともに、不適切なスイッチボタン操作を行った場合でも、適正な操作方法を案内することで、使いやすい空気清浄機を提供することを目的とする。【解決手段】粉塵濃度を検出する埃センサー部７またはガス濃度を検出するガスセンサー８の感度を段階的に調整するスイッチボタン１２ｃ、１２ｄと、音声で報知するスピーカ１１を有し、スイッチボタン１２ｃ、１２ｄの操作時に各センサー部の設定状況をスピーカ１１で設定状況を報知することにより、使用者に分かり易く設定状況を認識させることができ、また本体１運転中の不適切なスイッチボタン操作に対して、スピーカ１１で適正な操作方法を報知することにより、誤った操作をした場合でも使用者に不快感を与えない応答ができる空気清浄機が得られる。【選択図】図１
2008055362.tif 000002
【特許請求の範囲】
【請求項１】
本体内部の通風路に設けた送風ファンおよびフィルター部と、粉塵濃度またはガス濃度を検出するセンサー部と、このセンサー部の感度を段階的に調整するための調整操作手段と、音声で報知する音声ガイド手段とを有し、前記調整操作手段の操作時に音声ガイド手段により前記センサー部の設定状態を報知してなる空気清浄機。
【請求項２】
調整操作手段は、操作部に設けた特定の２つのスイッチボタンの同時長押し操作とした請求項１記載の空気清浄機。
【請求項３】
調整操作手段の操作を止めたときに、センサー部の感度が設定され、設定されたセンサー感度を音声ガイド装置で報知してなる請求項１または請求項２記載の空気清浄機。
【請求項４】
操作部に風速表示などの運転状態を表示する複数のＬＥＤ表示部を設け、調整操作手段の操作に対応してセンサー感度の設定値を順次表示するために、前記ＬＥＤ表示部を兼用してなる請求項１記載の空気清浄機。
【請求項５】
本体が運転状態にあるときは、センサー感度の切り換えのための調整操作手段の操作を受け付けないようにするとともに、音声ガイド手段で報知してなる請求項１記載の空気清浄機。
【請求項６】
短時間だけ最高機能を発揮する高機能運転モードを設け、この高機能運転モードを選択したとき、運転内容を音声ガイド手段で報知してなる請求項１記載の空気清浄機。
【請求項７】
高機能運転モードを運転中に、節電モードを選択するスイッチボタンを操作した場合は、このスイッチ操作を受け付けないとともに、音声ガイド装置で報知してなる請求項６記載の空気清浄機。
【請求項８】
操作部に多機能スイッチボタンを設け、この多機能スイッチボタンを異なる操作方法で操作することにより、複数の機能を選択可能に設け、選択したいずれかの機能を、音声ガイド装置で報知してなる請求項１記載の空気清浄機。
【請求項９】
音声ガイド手段にブザー音を発生可能に設けるとともに、スイッチボタン操作を受け付けない運転状態のときは、通常より低い周波数のブザー音を発生してなる請求項５または７記載の空気清浄機。
【発明の詳細な説明】
【技術分野】
【０００１】
本発明は、清浄すべき空気のガス濃度を検出するガスセンサーなどの感度調整ができる空気清浄機に関する。
【背景技術】
【０００２】
従来、この種の空気清浄機の一例として、使用者がガスセンサーのセンサー感度を調整できる空気清浄装置が知られている（例えば、特許文献１参照）。
【０００３】
以下、その空気清浄機について図１３および図１４を参照しながら説明する。
【０００４】
図に示すように、赤外線発信部１０１の切り替え操作により、赤外線受信部１０２を介して、ガスセンサー１０３のセンサー感度が切り替えできるとともに、センサー感度表示部１０４に切り替えた感度状態を表示させるように構成している。
【特許文献１】特公平７−５７２９６号公報（２頁右欄１５行〜２２行、３頁左欄３０行〜３２行、第１図、第２図）
【発明の開示】
【発明が解決しようとする課題】
【０００５】
このような従来の空気清浄機では、ガスセンサーのセンサー感度切り替えを行うときに、センサー感度表示部の表示のみを頼りにして調整するため、使用者の不注意で誤設定をすることがあり、その結果、空気清浄機が思い通りに運転制御されない場合があるという課題があり、センサー感度切り替え時に設定状況を分かり易く認識できようにして誤設定を防ぐことが要求されている。
【０００６】
また、空気清浄機のある機能が既に設定された状態で、スイッチボタンを操作すると、ブザー音による警告音あるいは何ら反応せずに、その操作が受け付けられない場合があり、使用者に困惑を与えることがあるという課題があり、使用者が不適切なスイッチボタン操作を行った場合でも、耳障りなブザー音や無反応ではなく、親しみやすい反応をして適正な情報が提供されることが要求されている。
【０００７】
本発明は、このような従来の課題を解決するものであり、センサー感度切り替え時に、使用者に設定状況を分かり易く報知して誤設定を防ぐとともに、不適切なスイッチボタン操作を行った場合でも、適正な操作方法を案内することで、使いやすい空気清浄機を提供することを目的としている。
【課題を解決するための手段】
【０００８】
本発明の空気清浄機は上記目的を達成するために、本体内部の通風路に設けた送風ファンおよびフィルター部と、粉塵濃度またはガス濃度を検出するセンサー部と、このセンサー部の感度を段階的に調整するための調整操作手段と、音声で報知する音声ガイド手段とを有し、前記調整操作手段の操作時に音声ガイド手段により前記センサー部の設定状態を報知する構成としたものである。
【０００９】
この手段により、調整操作手段の操作時に音声ガイド手段によりセンサー部の設定状態を音声で報知し、使用者にわかり易く認識させることのできる空気清浄機が得られる。
【００１０】
また、他の手段は、調整操作手段が、操作部に設けた特定の２つのスイッチボタンの同時長押し操作としたものである。
【００１１】
この手段により、操作部に調整操作手段用のスイッチボタンを設ける必要が無く、スイッチ部品も削減できる空気清浄機が得られる。
【００１２】
また、他の手段は、調整操作手段の操作を止めたときに、センサー部の感度が設定され、設定されたセンサー感度を音声ガイド手段で報知する構成としたものである。
【００１３】
この手段により、調整操作手段の操作を止めた段階で、設定されたセンサー感度を音声ガイド手段で報知することで、使用者に分かりやすく確実にセンサー感度の設定値を認識させて操作を完了することができる空気清浄機が得られる。
【００１４】
また、他の手段は、操作部に運転状態を表示する複数のＬＥＤ表示部を設け、調整操作手段の操作に対応してセンサー感度の設定値を順次表示するために、前記ＬＥＤ表示部を兼用してなる構成としたものである。
【００１５】
この手段により、ＬＥＤ表示部を順次変えることでセンサー感度の設定状態が目視確認できるだけでなく、風速表示などの運転状態を表示する複数のＬＥＤをセンサー感度設定用のＬＥＤに兼用することで、ＬＥＤの数量を減らして製造コストを低減するとともに、操作部の表示スペースを簡略化して通常運転時の操作性を良くすることができる空気清浄機が得られる。
【００１６】
また、他の手段は、本体が運転状態にあるときは、センサー感度の切り換えのための調整操作手段の操作を受け付けないようにするとともに、前記調整操作手段が操作されたときは、音声ガイド手段で報知してなる構成としたものである。
【００１７】
この手段により、本体が運転状態にあるときは、センサー部の検知感度および運転状態を安定に保ち、このとき音声ガイド手段でセンサー感度を切り換え不可とした仕様、ならびにセンサーの検知感度を切り換える方法を報知することにより、使用者が困惑しないようにできる空気清浄機が得られる。
【００１８】
また、他の手段は、短時間だけ最高機能を発揮する高機能運転モードを設け、この高機能運転モードを選択したとき、運転内容を音声ガイド手段で報知してなる構成としたものである。
【００１９】
この手段により、使用者に実施する運転内容を判り易く知らせることができ、短時間高機能運転モードを十分理解して使用してもらうことができる空気清浄機が得られる。
【００２０】
また、他の手段は、高機能運転モードを運転中に、節電モードを選択するスイッチボタンを操作した場合は、このスイッチ操作を受け付けないとともに、音声ガイド手段で報知してなる構成としたものである。
【００２１】
この手段により、高機能運転は最優先の運転であること、および相反する運転モードに安易に変更できないことを音声ガイド手段で報知して、使用者に認識させることができる空気清浄機が得られる。
【００２２】
また、他の手段は、操作部に多機能スイッチボタンを設け、この多機能スイッチボタンを異なる操作方法で操作することにより、複数の機能を選択可能に設け、選択したいずれかの機能を、音声ガイド手段で報知する構成としたものである。
【００２３】
この手段により、スイッチボタンの数や設置スペースを抑えて、操作部の省スペース化を図り、操作性も向上することができ、選択した機能を音声ガイド手段で報知することで、選択した機能を確実に知らせることができる空気清浄機が得られる。
【００２４】
また、他の手段は、音声ガイド手段に音声以外のブザー音を発生可能に設け、スイッチボタン操作を受け付けない運転状態のときは、通常より低い周波数のブザー音を発生してなる構成としたものである。
【００２５】
この手段により、スイッチボタン操作を受け付けない運転状態のときにスイッチボタン操作をしても、通常より低い周波数のブザー音を鳴動することにより、比較的低音の柔らかいブザー音となり、使用者は不快感を受けることなく、安心してスイッチ操作を続けることができる空気清浄機が得られる。
【発明の効果】
【００２６】
本発明によれば  使用者に対して音声で判りやすく調整中の設定状態を認識させることができ、センサー感度調整時の操作性を改善して誤操作を防止することができるという効果のある空気清浄機を提供できる。
【００２７】
また、操作部に調整操作手段としての新たなスイッチボタンを設けるスペースが削減でき、制御基板のスイッチ部品等の部品点数も削減でき、省スペース化とコストダウンを図ることができるという効果のある空気清浄機を提供できる。
【００２８】
また、使用者に確実にセンサー感度の設定値を認識させることができ、センサー感度の設定操作を完了することができるという効果のある空気清浄機を提供できる。
【００２９】
また、センサー感度の設定状態が目視確認できるとともに、ＬＥＤの数量を減らして製造コストを低減するとともに、操作部の表示スペースを簡略化して通常運転時の操作性をよくすることができるという効果のある空気清浄機を提供できる。
【００３０】
また、音声ガイド手段で、使用者に運転中はセンサー感度を切り換えできない仕様であること、さらに運転中においてセンサーの検知感度を切り換える方法を報知することにより、使用者が困惑せず操作できるという効果のある空気清浄機を提供できる。
【００３１】
また、特別な機能としての高機能運転モードを十分理解して使用してもらうことができるという効果のある空気清浄機を提供できる。
【００３２】
また、高機能運転モードを運転中に、節電モードを選択しても、スイッチ操作を受け付けないようにして、高機能運転は最優先の運転であること、および相反する運転モードに安易に変更できないことを音声ガイド手段で報知して、使用者に認識させることができるという効果のある空気清浄機を提供できる。
【００３３】
また、多機能スイッチボタンにより、スイッチボタンの数や設置スペースを抑えて、操作部の省スペース化を図り、また操作方法が変わるので、選択した機能を音声ガイド手段で報知することで、選択中の機能を確実に知らせることができ、使用者の誤選択による誤使用を防止することができるという効果のある空気清浄機を提供できる。
【００３４】
また、スイッチボタン操作を受け付けない運転状態のときにスイッチボタン操作をしても、比較的低音の柔らかいブザー音が鳴動するので、使用者は不快感を受けることなく、安心してスイッチ操作を続けることができるという効果のある空気清浄機を提供できる。
【発明を実施するための最良の形態】
【００３５】
本発明の請求項１記載の発明は、本体内部の通風路に設けた送風ファンおよびフィルター部と、粉塵濃度またはガス濃度を検出するセンサー部と、このセンサー部の感度を段階的に調整するための調整操作手段と、音声で報知する音声ガイド手段とを有し、前記調整操作手段の操作時に音声ガイド手段により前記センサー部の設定状態を報知する構成としたものであり、調整操作手段を用いてセンサー部の感度を調整しているときに、センサー感度の設定状態を音声ガイド手段で報知することで、使用者に対して音声で分かり易く調整中の設定状態を認識させることができ、センサー感度調整時の操作性を改善して誤操作を防止することができるという作用を有する。
【００３６】
また、請求項２記載の発明は、調整操作手段は、操作部に設けた特定の２つのスイッチボタンの同時長押し操作としたものであり、調整操作手段として、操作部に設けた特定の２つのスイッチボタンを用いることにより、操作部に調整操作手段としての新たなスイッチボタンを設けるスペースが削減でき、制御基板のスイッチ部品等の部品点数も削減でき、省スペース化とコストダウンを図ることができるという作用を有する。
【００３７】
また、請求項３記載の発明は、調整操作手段の操作を止めたときに、センサー部の感度が設定され、設定されたセンサー感度を音声ガイド手段で報知してなる構成としたものであり、調整操作手段の操作を止めた段階で、設定されたセンサー感度を音声ガイド手段で報知することで、使用者に分かりやすく確実にセンサー感度の設定値を認識させることができ、センサー感度の誤設定を未然に防止することができるという作用を有する。
【００３８】
また、請求項４記載の発明は、操作部に運転状態を表示する複数のＬＥＤ表示部を設け、調整操作手段の操作に対応してセンサー感度の設定値を順次表示するために、前記ＬＥＤ表示部を兼用してなる構成としたものであり、調整操作手段の操作に対応した音声ガイド手段の音声案内に合わせて、ＬＥＤ表示部を順次変えることでセンサー感度の設定状態が目視確認できるだけでなく、風速表示などの運転状態を表示する複数のＬＥＤをセンサー感度設定用のＬＥＤに兼用することで、ＬＥＤの数量を減らして製造コストを低減するとともに、操作部の表示スペースを簡略化して通常運転時の操作性をよくすることができるという作用を有する。
【００３９】
また、請求項５記載の発明は、本体が運転状態にあるときは、センサー感度の切り換えのための調整操作手段の操作を受け付けないようにするとともに、前記調整操作手段が操作されたときは、音声ガイド手段で報知してなる構成としたものであり、本体が運転状態にあるときは、調整操作手段の操作を受け付けないようにして、センサー部の検知感度および運転状態を安定に保つことができ、このとき音声ガイド手段で報知することで、使用者に運転中はセンサー感度を切り換えできない仕様であること、さらに運転中においてセンサーの検知感度を切り換える方法を知らせることにより、使用者が困惑せずに操作できるという作用を有する。
【００４０】
また、請求項６記載の発明は、短時間だけ最高機能を発揮する高機能運転モードを設け、この高機能運転モードを選択するスイッチボタンを操作したとき、運転内容を音声ガイド手段で報知してなる構成としたものであり、高機能運転モードのスイッチボタンを押すと、その運転方法と運転時間を音声ガイド手段で報知することで、使用者に実施する運転内容を分かり易く知らせることができ、高機能運転モードを十分理解して使用してもらうことができるという作用を有する。
【００４１】
また、請求項７記載の発明は、高機能運転モードを運転中に、節電モードを選択するスイッチボタンを操作した場合は、スイッチ操作を受け付けないとともに、音声ガイド手段で報知してなる構成としたものであり、高機能運転モードを運転中に、節電モードを選択しても、スイッチ操作を受け付けないようにして、高機能運転は最優先の運転であること、および相反する運転モードに安易に変更できないことを音声ガイド手段で報知して、使用者に認識させることができるという作用を有する。
【００４２】
また、請求項８記載の発明は、操作部に多機能スイッチボタンを設け、この多機能スイッチボタンを異なる操作方法で操作することにより、複数の機能を選択可能に設け、選択したいずれかの機能を、音声ガイド手段で報知してなる構成としたものであり、操作頻度の少ない機能を１つの多機能スイッチボタンに集約して、この多機能スイッチボタンの押し方を変えることで、複数の機能の１つを選択できるようにすることにより、スイッチボタンの数や設置スペースを抑えて、操作部の省スペース化を図り、また操作方法が変わるので、使用者の操作に応じて選択された機能を音声ガイド手段で報知することで、選択中の機能を確実に知らせることができ、使用者の誤選択による誤使用を防止することができるという作用を有する。
【００４３】
また、請求項９記載の発明は、音声ガイド手段にブザー音を発生させるとともに、スイッチボタン操作を受け付けない運転状態のときは、通常より低い周波数の注意ブザー音を発生してなる構成としたものであり、スイッチボタン操作を受け付けない運転状態のときにスイッチボタン操作をしても、通常より低い周波数の注意ブザー音を鳴動することにより、比較的低音の柔らかいブザー音となり、使用者は不快感を受けることなく、安心してスイッチ操作を続けることができるという作用を有する。
【００４４】
以下、本発明の実施の形態について図面を参照しながら説明する。
【００４５】
（実施の形態１）
図１〜図９に示すように、本体１の吸気口２から吐出口３に至る通風路４に送風ファン５およびフィルター部９を設け、フィルター部９はプリフィルター９ａ、集塵フィルター９ｂおよび脱臭フィルター９ｃとからなり、吐出口３にはイオン発生部６を設けている。
【００４６】
本体１の吸気口２近傍には粉塵濃度を検出する埃センサー部７を収納し、本体１の前面上部に悪臭ガスの濃度を検出するガスセンサー部８を収納している。
【００４７】
本体１の上面に設けた操作パネル１２の下方に制御手段となる制御基板１０を収納し、制御基板１０には音声ガイド手段となるスピーカ１１が搭載されるとともに、ＬＥＤ１４〜ＬＥＤ１７とスイッチボタン１２ａ〜１２ｄに対応して複数のスイッチ素子が搭載されている。操作パネル１２には、スイッチ操作用のスイッチボタン１２ａ〜１２ｄとＬＥＤ表示部１３を備え、ＬＥＤ表示部１３は送風ファン５の風速（微弱、中、急速、ターボ）に対応したＬＥＤ１４〜ＬＥＤ１７を視認可能に形成している。
【００４８】
スイッチボタン１２ａは「運転切／入」表示のスイッチボタンであり、本体１に電源を供給して運転可能状態となし、スイッチボタン１２ｂは「運転切／入」表示のスイッチボタンであり、マニュアル運転での風量選択あるいは自動運転の選択を行ない、またスイッチボタン１２ｃは「イオンショット」表示のスイッチボタンであり、大量のマイナスイオンを発生するとともに、ターボモード（最高風量）で１５分間のタイマー運転を行うものである。
【００４９】
スイッチボタン１２ｄは「チャイルドロック（長押し）／節電」表示のスイッチボタンであり、３秒以上の長押し操作で、全てのスイッチボタンの操作を無効化するチャイルドロックを行ない、３秒未満の押し操作で送風量を一段下げて運転するとともに、マイナスイオン発生中の運転ではイオン発生部６の通電を停止して、節電モードに切り換えるものである。
【００５０】
調整操作手段として、スイッチボタン１２ｃ、１２ｄを同時に長押し操作することにより、埃センサー部７とガスセンサー部８を「高、中、低」と段階的に３秒間隔で感度調整ができるようになっており、さらに長押し操作による感度調整中に、制御基板１０はスピーカ１１によりセンサー感度の調整段階を３秒間隔で報知するとともに、センサー感度の高、中、低に対応したＬＥＤ１４〜１６を同じタイミングで順次点灯するように設けている。
【００５１】
また、最終的にスイッチボタン１２ｃ、１２ｄの操作を止めると、感度調整の作業が終了し、制御基板１０は設定されたセンサー感度を、スピーカ１１により報知するように設けている。
【００５２】
また、「運転切／入」ボタンの入り状態のときに、調整操作手段としてのスイッチボタン１２ｃ、１２ｄの同時長押し操作をしても、この操作を受け付けないようにして、安定した運転を続けることができるようにしている。このとき、制御基板１０はスピーカ１１を通して、運転中はセンサー感度の切り換えができない旨とその対応策を、「運転中はセンサー感度の切り換えができません。運転を停止して切り換えてください。」と報知する。
【００５３】
また、外出先からの帰宅時やタバコ吸引時など、空気の汚れ度合いが大きくなる場合を想定して、短時間で効率良く空気清浄を行う高機能運転モードを設けている。高機能運転モードのスイッチボタン１２ｃを押した時に、大量のマイナスイオンを発生する付加機能を発揮するとともに、ターボモードである最大風量の空気清浄運転を１５分間行なう。このときスピーカ１１で「イオンを発生させ、大風量で１５分間運転します。」と報知して、使用者に運転内容を知らせることができる。
【００５４】
この高機能運転を実行しているとき、スイッチボタン１２ｄを押して節電モードを選択しても、スイッチ操作を受け付けない仕様としており、このことをスピーカ１１で報知することで、使用者に安易に変更できないことを伝えることができる。すなわち節電モードは、消費電力を抑えるために、風量を一段階落として、マイナスイオンの発生を停止する運転となっているが、高機能運転モードとは相反する機能設定になっているため、節電モードへ簡単に切り替えできない仕様として、スイッチ操作に制限を加えるとともに、スピーカ１１で「イオンショット運転中です。節電モードを設定することはできません。」と報知するものである。ここで高機能運転モードを解除するには、「イオンショット」のスイッチボタンを再度押すことで可能となり、他の運転モードのスイッチボタンを選択することができる。
【００５５】
また、「チャイルドロック／節電」が併記された多機能スイッチボタンとしてのスイッチボタン１２ｄを３秒以上長押しした場合は、「チャイルドロックを設定しました。」とスピーカ１１が報知するとともに、「鍵マーク」のＬＥＤ点灯を行ない、スイッチボタン１２ｄを３秒未満の短押しした場合は、「節電モードを設定しました。」とスピーカ１１が報知するとともに、「節電」のＬＥＤ点灯することで、選択した機能を使用者に確実に知らせることができる。
【００５６】
また、高機能運転中に節電モードのスイッチボタン１２ｄを押したときや、チャイルドロック機能が設定されているときに、チャイルドロック解除となるスイッチボタン１２ｄ操作以外のボタン操作をしたときは、スイッチボタン操作が切り替わらない状態となり、通常は使用者にブザー音で操作ができないことを知らせる。この音は２ＫＨｚに設定してあるため、高周波で耳障りに感じる場合があり、使用者に不快感を与えてしまうことがある。しかし注意用のブザー音として、周波数を１〜１．８ＫＨｚに設定して比較的柔らかくて低いブザー音（周波数）とすることで、不快感を与えずにスイッチボタンの操作が拒否されたことを使用者に知らせることができる。
【００５７】
上記構成において、通常はスイッチボタン１２ａおよび１２ｂを操作して空気清浄機を運転すると、送風ファン５が駆動し、吸気口２から吸気された塵埃を含む空気は、プリフィルター９ａにより大きな塵埃が除去され、集塵フィルター９ｂにより小さな塵埃が集塵され、脱臭フィルター９ｃにより臭気が除去され、新鮮になった空気が吐出口３より放出されて空気の清浄が行われる。
【００５８】
次に、センサー感度を切り換えるときの動作について図１０のフローチャートに基づいて説明する。
【００５９】
まず、スイッチボタン１２ａまたは１２ｂを操作して待機状態または運転状態であるとき、ステップ２１でスイッチボタン１２ｃと１２ｄを同時に長押しすると、ステップ２２で制御基板１０により本体１が運転中であるかどうかを判断し、ＹＥＳの場合は、ステップ２３でセンサー感度の切り替え操作ができないことを、スピーカ１１で「運転中はセンサー感度の切り換えができません。運転を停止して切り換えてください。」と報知する。またステップ２２でＮＯの場合は、センサー感度の切り替えが可能であり、ステップ２４でセンサー感度を順次変更するが、この設定状態をスピーカ１１で「センサー感度  高です」「センサー感度  中です」「センサー感度  低です」と３秒毎に報知するとともに、ＬＥＤ表示部１３のＬＥＤ１４、１５、１６を順次点灯する。
【００６０】
次に、ステップ２５でスイッチボタン１２ｃと１２ｄの同時長押し操作を止めたかを判定し、ＹＥＳの場合はステップ２６でセンサー感度が決定したことをスピーカ１１で報知する。すなわちスイッチボタン１２ｃと１２ｄの同時長押し操作を止めた時点のセンサー感度の設定段階に応じて「センサー感度を高に設定しました。」「センサー感度を中に設定しました。」「センサー感度を低に設定しました。」のいずれかを報知する。またステップ２５でスイッチボタン１２ｃと１２ｄの同時長押し操作を止めない場合は、ステップ２４の報知を継続する。
【００６１】
次に、「イオンショットボタン」となるスイッチボタン１２ｃを操作するときの動作について図１１のフローチャートに基づいて説明する。
【００６２】
まず、スイッチボタン１２ａまたは１２ｂを操作して待機状態または運転状態であるとき、ステップ３１でスイッチボタン１２ｃを操作して１５分間の最高機能運転となるイオンショット運転を選択すると、ステップ３２で制御基板１０によりイオンショットの運転モードと運転時間をスピーカ１１で「イオンを発生させ、ターボモードで１５分間運転します。」と報知する。同時にステップ３３でイオンショット運転を開始する。
【００６３】
ステップ３４で制御基板１０は運転時間を計測して１５分経過したか判定し、ＮＯの場合はステップ３５で「節電」ボタンであるスイッチボタン１２ｄが操作されたかどうかを判定して、ＹＥＳの場合はステップ３７で「節電」モードは設定できないことをスピーカ１１で報知する。この前に、ステップ３６で通常の周波数（２ＫＨｚ）より低い周波数（１ＫＨｚ〜１．８ＫＨｚ）のブザー音を鳴動して、使用者に不快感を与えないように、低周波でソフトな警告音で注意を喚起している。
【００６４】
なお、ステップ３５でスイッチボタン１２ｄが操作されない場合は、イオンショット運転を継続し、さらにステップ３４で運転時間が１５分経過した場合は、イオンショット運転を終了する。
【００６５】
次に節電モードまたはチャイルドロックを設定するときの動作について図１２のフローチャートに基づいて説明する。ステップ４１で「運転入／切」ボタンとなるスイッチボタン１２ａを押し、ステップ４２で制御基板１０によりスイッチボタン１２ｄの押された時間が比較される。すなわち、使用者がスイッチボタン１２ｄを３秒未満だけ押した場合は、節電モードを選択したと判定され、ステップ４３でスピーカ１１により「節電モードを設定しました。」と報知される。使用者がスイッチボタン１２ｄを３秒以上長押しした場合は、チャイルドロックのモードを選択したと判定され、ステップ４４でスピーカ１１により「チャイルドロックを設定しました。他の機能は選択できません。」と報知される。なお、設定したチャイルドロックのモードを解除するときは、スイッチボタン１２ｄを再度３秒以上長押しすることにより設定が解除できる。
【００６６】
ステップ４５ではチャイルドロックが設定された状態で、チャイルドロック解除以外のスイッチボタンを操作した場合は、ステップ４６でブザーが通常より低い周波数（１ＫＨｚ〜１．８ＫＨｚ）のブザー音を鳴動して、使用者に不快感を与えないように、低周波でソフトな警告音を発生するとともに、ステップ４７でスピーカ１１が「チャイルドロック設定中です。操作できません。」と音声で報知するものである。
【産業上の利用可能性】
【００６７】
本発明にかかる空気清浄機は、使用者がセンサー感度を設定するときに感度設定状況を音声で報知し、また操作できない使用条件のときのスイッチ操作に対して音声で報知することで、使用者に分かり易くガイドして、変化する設定状況や正しい操作方法を伝達することができるという効果を奏するため、空気汚染を検出するセンサー部の調整機能を備え、また多様な設定条件で使用されるクリーンルーム、エアハンドリングユニット、エアコンなどの空調機器においても有用である。
【図面の簡単な説明】
【００６８】
【図１】本発明の実施の形態１の空気清浄機の横断面図
【図２】同空気清浄機の斜視図
【図３】同空気清浄機の操作部と制御手段を示す部分斜視図
【図４】同空気清浄機の音声ガイド手段を示す部分斜視図
【図５】同空気清浄機のセンサー部を示す要部破断の背面斜視図
【図６】同空気清浄機のセンサー部とイオン発生部を示す要部破断の正面斜視図
【図７】同空気清浄機の操作部の平面図
【図８】同空気清浄機の表示部の拡大図
【図９】同空気清浄機のブロック回路図
【図１０】同空気清浄機のセンサー感度調整の設定動作を示すフローチャート
【図１１】同空気清浄機の高機能運転モードの設定動作を示すフローチャート
【図１２】同空気清浄機の多機能スイッチボタンの設定動作を示すフローチャート
【図１３】従来の空気清浄装置の斜視図
【図１４】同空気清浄機のブロック回路図
【符号の説明】
【００６９】
１      本体
４      通風路
５      送風ファン
７      埃センサー部
８      ガスセンサー部
９      フィルター部
１１    スピーカ
１２    操作パネル
１２ｃ  スイッチボタン
１２ｄ  スイッチボタン
１３    ＬＥＤ表示部
【図１】
2008055362.tif 000003
【図２】
2008055362.tif 000004
【図３】
2008055362.tif 000005
【図４】
2008055362.tif 000006
【図５】
2008055362.tif 000007
【図６】
2008055362.tif 000008
【図７】
2008055362.tif 000009
【図８】
2008055362.tif 000010
【図９】
2008055362.tif 000011
【図１０】
2008055362.tif 000012
【図１１】
2008055362.tif 000013
【図１２】
2008055362.tif 000014
【図１３】
2008055362.tif 000015
【図１４】
2008055362.tif 000016